(57)【要約】      （修正有）【課題】ディスプレイの位置を固定できるディスプレイ支持装置を提供する。【解決手段】固定手段と、ディスプレイ支持手段４と、収容空間を画成するアーム手段１と、収容空間内に設置されている空気圧伸縮シリンダー２と、制御手段３と、を有するディスプレイ支持装置であって、アーム手段１は、第１の端部１１と、第２の端部１２と、第１の端部１１と第２の端部１２とを連接しているアーム本体と、を有するように構成されており、空気圧伸縮シリンダー２は、アーム手段１の揺動に応じて伸縮するようにアーム手段１に取付けられ、制御手段３は、ピストン２２のシリンダー本体に対する摺動を阻止するロック位置と、ピストン２２の前記摺動を許容するアンロック位置との間に切り替えることができる制御ピン３２と、制御ピン３２の前記ロック位置と前記アンロック位置との切り替えを制御する制御スイッチ３１とを有する。【選択図】図７
0003204995.tif 000002
【実用新案登録請求の範囲】
【請求項１】
所定の固定位置に固定できるように構成されている固定手段と、
ディスプレイを支持できるように構成されているディスプレイ支持手段と、
収容空間を画成するように中空に構成されているアーム手段と、
前記収容空間内に設置されている伸縮可能な空気圧伸縮シリンダーと、
前記空気圧伸縮シリンダーの作動を制御できるように構成されている制御手段と、を有するように構成されているディスプレイ支持装置であって、
前記アーム手段は、
前記固定手段と前記ディスプレイ支持手段とにおける１つに回動可能に枢接されている第１の端部と、
前記固定手段と前記ディスプレイ支持手段とにおける他の１つに取付けられている第２の端部と、
前記第１の端部と前記第２の端部とを連接し、前記第１の端部における枢接により揺動可能に構成されているアーム本体と、を有するように構成されており、
前記空気圧伸縮シリンダーは、
所定の方向に沿って延伸して中空の管状に形成されているシリンダー本体と、
前記シリンダー本体内で前記所定の方向に沿って摺動可能に前記シリンダー本体に挿入され、前記摺動により前記空気圧伸縮シリンダー全体の長さが変わるようになっているピストンと、を有し、前記アーム手段の揺動に応じて伸縮するように前記アーム手段に取付けられており、
前記制御手段は、
前記ピストンの前記シリンダー本体に対する摺動を阻止するロック位置と、前記ピストンの前記シリンダー本体に対する摺動を許容するアンロック位置との間に切り替えることができるように前記ピストンに取付けられている制御ピンと、
前記制御ピンの前記ロック位置と前記アンロック位置との切り替えを制御する制御スイッチと、を有するように構成されていることを特徴とするディスプレイ支持装置。
【請求項２】
前記制御ピンは、前記アンロック位置に位置する際に、前記ピストンの前記シリンダー本体から露出する取付け端部から前記所定の方向へ突出する突出端を有し、且つ、前記ロック位置に位置する際に、前記取付け端部から前記所定の方向へ突出しないように、前記所定の方向に沿って摺動可能に前記取付け端部に取り付けられており、
前記制御手段の前記制御スイッチは、前記制御ピンに隣接する押圧端部及び操作端部を有すると共に、前記所定の方向と略直交する延伸方向に沿って延伸し且つ前記延伸方向を回転軸として回転可能に設置されている押圧軸と、前記押圧軸の前記操作端部から前記押圧軸と略直交に延伸して前記押圧軸の回転と共に揺動するハンドルと、を有しており、
前記押圧軸の前記押圧端部の外周面には、前記押圧軸の前記延伸方向と略直交する平面における断面において、前記回転軸までの距離が徐々に減少するように形成されている斜面と、前記斜面の前記延伸方向における両端それぞれから、前記外周面まで延伸する２つの側面と、が形成されており、前記斜面及び前記２つの側面により前記制御ピンの前記突出端を受け入れることができる切替空間を画成すると共に、前記斜面の前記回転軸までの距離が比較的に短い部分で前記アンロック位置における制御ピンに当接し、そして前記外周面の前記斜面以外の部分で前記ロック位置における前記制御ピンに当接するように配置構成され、前記制御ピンの前記アンロック位置と前記ロック位置との切替を案内することを特徴とする請求項１に記載のディスプレイ支持装置。
【請求項３】
前記空気圧伸縮シリンダーは、前記シリンダー本体の前記ピストンが挿入する端部の反対端部に取り付けられている延伸筒部を更に有しており、
前記アーム手段は、前記アーム本体と共に前記収容空間を画成する本体カバーを更に有しており、
前記アーム手段の前記第１の端部は、前記ディスプレイ支持手段が取り付けられていると共に、前記ディスプレイ支持手段が前記アーム手段に対して回動可能に枢接されている第１の回動軸と、
前記制御手段と前記ピストンの前記取付け端部とを、前記シリンダー本体、前記ピストン及び前記延伸筒部が前記アーム本体と平行するように固定し且つ前記アーム本体の一端部を前記アーム本体の前記一端部が前記所定の方向に沿って移動可能にカバーするように構成され、前記本体カバーの一端が固定されているように前記第１の回動軸に設置されている第１の端部カバーと、を有しており、
前記アーム手段の前記第２の端部は、前記固定手段が取り付けられていると共に、
前記本体カバーに固定されている第２の端部カバーと、
前記第１の回動軸と平行し且つ前記アーム本体に対して前記第１の回動軸と同じ側に設置され、前記第２の端部カバーが前記第１の端部カバー及び前記本体カバーと共に回動可能に枢接されている第２の回動軸と、
前記第２の回動軸と平行しながら前記第２の回動軸に対する位置が固定されるように設置され、前記アーム本体の前記一端部の反対端部である他端部が前記アーム本体と共に回動可能に枢接されている第３の回動軸と、
前記第３の回動軸に固定され、前記第３の回動軸から前記アーム本体に対して前記第２の回動軸の反対側に延伸するように形成されている延伸部と、
前記第３の回動軸と平行しながら前記延伸部の前記第２の回動軸の前記反対側にある端部に設置されている第４の回動軸と、を有しており、
前記空気圧伸縮シリンダーは、前記第４の回動軸と平行しながら前記延伸筒部の前記シリンダー本体に取り付けられている端部の反対端部に設置されている第５の回動軸と、両端それぞれが回動可能に、前記第４の回動軸と前記第５の回動軸とに、枢接されている連動棒と、を更に有していることを特徴とする請求項２に記載のディスプレイ支持装置。
【請求項４】
前記固定手段は、前記第２の回動軸に回動可能に枢接されている第１の接続部と、前記第２の回動軸と略直交する第１の軸線を軸心として前記第１の接続部に回動可能に枢接され、前記所定の固定位置に固定できるように構成されている固定部と、を有するように構成されていることを特徴とする請求項３に記載のディスプレイ支持装置。
【請求項５】
前記固定手段は、
回動可能に前記第２の回動軸に枢接されている第１の接続部と、
前記所定の固定位置に固定できるように構成されている固定部と、
前記第２の回動軸と略直交する第１の軸線を軸心として回動可能に前記第１の接続部に回動可能に枢接されている第１の延伸アーム端部と、前記第１の軸線と平行する回転軸線を軸心として回動可能に前記固定部に枢接されている第２の延伸アーム端部と、を有するように構成されている延伸アームと、を更に有していることを特徴とする請求項３に記載のディスプレイ支持装置。
【請求項６】
前記ディスプレイ支持手段は、回動可能に前記第１の回動軸に枢接されている第２の接続部と、前記第１の回動軸と略直交する第２の軸線を軸心として回動可能に前記第２の接続部に枢接され、ディスプレイが設置できるように構成されているディスプレイ設置部と、を有するように構成されていることを特徴とする請求項４または請求項５に記載のディスプレイ支持装置。
【考案の詳細な説明】
【技術分野】
【０００１】
本考案はディスプレイ支持装置に関し、具体的にはディスプレイの位置を固定できるディスプレイ支持装置に関する。
【背景技術】
【０００２】
従来のディスプレイ支持装置、例えば特許文献１に記載されているディスプレイ支持装置は、第１の端部及び第２の端部を有しながら中空に構成されているアーム手段と、前記第１の端部に回動可能に枢接されている固定手段と、前記第２の端部に回動可能に枢接されているディスプレイ支持手段と、前記アーム手段の揺動に応じて伸縮するように前記アーム手段内に設置されている伸縮可能な空気圧伸縮シリンダーと、を備えている。
【０００３】
該ディスプレイ支持装置が空気圧伸縮シリンダーを備えていることにより、該ディスプレイ支持装置に設置されたディスプレイを所定の位置に支持できるが、空気圧伸縮シリンダーには、空気圧の差による伸縮力を有するので、該ディスプレイを希望の位置の調節しても、該ディスプレイが該伸縮力により希望の位置から少しずれて、精確に希望の位置に固定できないという欠点がある。
【先行技術文献】
【特許文献】
【０００４】
【特許文献１】台湾実用新案公告第Ｍ３９３１３７号明細書
【考案の概要】
【考案が解決しようとする課題】
【０００５】
上記問題点に鑑みて、本考案は、従来のディスプレイ支持装置よりディスプレイを希望の位置に精確に固定できるディスプレイ支持装置の提供を目的とする。
【課題を解決するための手段】
【０００６】
上記目的を達成すべく、本考案は、所定の設置位置に固定できるように構成されている固定手段と、ディスプレイを支持できるように構成されているディスプレイ支持手段と、収容空間１４を画成するように中空に構成されているアーム手段と、前記収容空間内に設置されている伸縮可能な空気圧伸縮シリンダーと、前記空気圧伸縮シリンダーの作動を制御できるように構成されている制御手段と、を有するように構成されているディスプレイ支持装置であって、前記アーム手段は、前記固定手段と前記ディスプレイ支持手段とにおける１つに回動可能に枢接されている第１の端部と、前記固定手段と前記ディスプレイ支持手段とにおける他の１つに取付けられている第２の端部と、前記第１の端部と前記第２の端部とを連接し、前記第１の端部における枢接により揺動可能に構成されているアーム本体と、を有するように構成されており、前記空気圧伸縮シリンダーは、所定の方向に沿って延伸して中空の管状に形成されているシリンダー本体と、前記シリンダー本体内で前記所定の方向に沿って摺動可能に前記シリンダー本体に挿入され、前記摺動により前記空気圧伸縮シリンダー全体の長さが変わるようになっているピストンと、を有するように構成されており、前記アーム本体の揺動に応じて伸縮するように前記アーム本体に取付けられており、前記制御手段は、前記ピストンの前記シリンダー本体に対する摺動を阻止するロック位置と、前記ピストンの前記第１のシリンダー本体に対する摺動を許容するアンロック位置との間に切り替えることができるように前記ピストンに取付けられている制御ピンと、前記制御ピンの前記ロック位置と前記アンロック位置との切り替えを制御する制御スイッチとを有するように構成されていることを特徴とするディスプレイ支持装置を提供する。
【考案の効果】
【０００７】
上記構成により、本考案のディスプレイ支持装置は、ピストンのシリンダー本体に対する摺動を阻止できる制御手段を備えているので、ディスプレイを希望の位置に調整した後、制御手段をピストンのシリンダー本体に対する摺動を阻止できるロック位置に切り替えることにより、ピストンのシリンダー本体に対する摺動が阻止されて、従来のディスプレイ支持装置よりディスプレイを希望の位置に精確に固定することができる。
【図面の簡単な説明】
【０００８】
【図１】本考案のディスプレイ支持装置の第１の実施形態を示す斜視図である。
【図２】上記実施形態のディスプレイ支持装置の制御ピンがロック位置にあることを示す斜視図である。
【図３】上記実施形態のディスプレイ支持装置の制御ピンがアンロック位置にあることを示す斜視図である。
【図４】上記実施形態のディスプレイ支持装置の制御手段を示す斜視図である。
【図５】上記実施形態のディスプレイ支持装置のアーム手段を示す部品分解図である。
【図６】上記実施形態のディスプレイ支持装置のアーム手段の固定手段が取り付けられている端部の構成を示す斜視図である。
【図７】上記実施形態のディスプレイ支持装置のアーム手段のディスプレイ支持手段が取り付けられている端部を示す断面図である。
【図８】上記実施形態のディスプレイ支持装置のアーム手段のディスプレイ支持手段が取り付けられている端部を示す断面図である。
【図９】上記実施形態のディスプレイ支持装置のアーム手段のディスプレイ支持手段が取り付けられている端部を示す部分斜視図である。
【図１０】上記実施形態のディスプレイ支持装置のアーム手段の揺動を示す側視図である。
【図１１】本考案のディスプレイ支持装置の第２の実施形態を示す斜視図である。
【考案を実施するための形態】
【０００９】
以下では各図面を参照しながら、本考案の各好ましい実施形態について詳しく説明する。
【００１０】
（第１の実施形態）
本考案のディスプレイ支持装置の第１の実施形態は、図１及び図２に示されるように、所定の固定位置に固定できるように構成されている固定手段５と、ディスプレイを支持できるように構成されているディスプレイ支持手段４と、収容空間１０を画成するように中空に構成されているアーム手段１と、収容空間１０内に設置されている伸縮可能な空気圧伸縮シリンダー２と、空気圧伸縮シリンダー２の作動を制御できるように構成されている制御手段３と、を有するように構成されている。
【００１１】
空気圧伸縮シリンダー２は、図２及び図３に示されるように、所定の方向Ｘに沿って延伸して中空の管状に形成されているシリンダー本体２１と、シリンダー本体２１内で所定の方向Ｘに沿って摺動可能にシリンダー本体２１に挿入され、前記摺動により空気圧伸縮シリンダー２全体の長さが変わるようになっているピストン２２と、シリンダー本体２１のピストン２２が挿入する端部の反対端部に取り付けられている延伸筒部２５と、を有するように構成されている。また、ピストン２２は、シリンダー本体２１から露出する端部である取付け端部２２１を有する。
【００１２】
ピストン２２の内部には、空気が流動できる空間が形成されていて、該空気の流動により生じる空気圧によって、ピストン２２がシリンダー本体２１内で摺動する。ピストン２２及びシリンダー本体２１の詳しい構成は空気圧伸縮シリンダーに関する技術分野における周知技術であるので、ここで詳しい説明を省略する。
【００１３】
制御手段３は、図２〜図４に示されるように、ピストン２２のシリンダー本体２１に対する摺動を阻止するロック位置と、ピストン２２のシリンダー本体２１に対する摺動を許容するアンロック位置との間に切り替えることができるようにピストン２２に取付けられている制御ピン３２と、制御ピン３２の前記ロック位置と前記アンロック位置との切り替えを制御する制御スイッチ３１と、を有するように構成されている。
【００１４】
アーム手段１は、図５に示されるように、固定手段５とディスプレイ支持手段４とにおける１つに回動可能に枢接されている第１の端部１１と、固定手段５とディスプレイ支持手段４とにおける他の１つに取付けられている第２の端部１２と、第１の端部１１と第２の端部１２とを連接し、第１の端部１１における枢接により揺動可能に構成されているアーム本体１３と、アーム本体１３と共に収容空間１０を画成する本体カバー１４３と、を有するように構成されている。
【００１５】
この実施形態において、第１の端部１１はディスプレイ支持手段４に取付けられ、第２の端部１２は固定手段５に取付けられている。
【００１６】
第１の端部１１は、図５、図７及び図９に示されるように、ディスプレイ支持手段４がアーム手段１に対して回動可能に枢接されている第１の回動軸１１１と、制御手段３とピストン２２の取付け端部２２１とを、シリンダー本体２１、ピストン２２及び延伸筒部２５がアーム本体１３と平行するように固定し且つアーム本体１３の一端部を所定の方向Ｘに沿って移動可能にカバーするように構成され、本体カバー１４３の一端が固定されているように第１の回動軸１１１に設置されている第１の端部カバー１４１と、を有している。
【００１７】
第２の端部１２は、図５及び図６に示されるように、本体カバー１４３に固定されている第２の端部カバー１４２と、第１の回動軸１１１と平行し且つアーム本体１３に対して第１の回動軸１１１と同じ側に設置され、第２の端部カバー１４２が第１の端部カバー１４１及び本体カバー１４３と共に回動可能に枢接されている第２の回動軸１２１と、第２の回動軸１２１と平行しながら第２の回動軸１２１に対する位置が固定されるように設置され、アーム本体１３の前記一端部の反対端部である他端部がアーム本体１３と共に回動可能に枢接されている第３の回動軸１２２と、第３の回動軸１２２に固定され、第３の回動軸１２２からアーム本体１３に対して第２の回動軸１２１の反対側に延伸するように形成されている延伸部１２３と、第３の回動軸１２２と平行しながら延伸部１２３の第２の回動軸１２１の前記反対側にある端部に設置されている第４の回動軸１２４と、を有している。
【００１８】
空気圧伸縮シリンダー２は、図３及び図５に示されるように、第４の回動軸１２４と平行しながら、延伸筒部２５のシリンダー本体２１に取り付けられている端部の反対端部に設置されている第５の回動軸２５１と、両端それぞれが回動可能に、第４の回動軸１２４と第５の回動軸２５１とに、枢接されている連動棒２４と、を更に有している。
【００１９】
この構成により、互いに固定されている第１の端部カバー１４１、本体カバー１４３及び第２の端部カバー１４２が第２の回動軸１２１を軸心として揺動すると、制御手段３とピストン２２の取付け端部２２１とが、シリンダー本体２１、ピストン２２及び延伸筒部２５がアーム本体１３と平行するように固定されていて且つ連動棒２４の両端それぞれが回動可能に、第４の回動軸１２４と第５の回動軸２５１とに枢接されているので、空気圧伸縮シリンダー２が第４の回動軸１２４を軸心として揺動し、アーム本体１３が第３の回動軸１２２を軸心として揺動する。そうすると、第５の回動軸２５１の所定の方向Ｘにおける第２の端部カバー１４２に対する位置が変動され、その位置の変動に応じて、ピストン２２がシリンダー本体２１内で摺動し、即ち、空気圧伸縮シリンダー２は、アーム手段１の揺動に応じて伸縮するようにアーム手段１に取り付けられているようになる。また、アーム本体１３における第１の端部カバー１４１にカバーされている端部の第１の端部カバー１４１に対する位置も変動される。
【００２０】
制御手段３の制御ピン３２は、図２、図３、図７及び図８に示されるように、前記アンロック位置（図７）に位置する際にピストン２２のシリンダー本体２１から露出する取付け端部２２１から所定の方向Ｘへ突出する突出端３２１を有し、且つ、前記ロック位置（図８）に位置する際に、取付け端部２２１から所定の方向Ｘへ突出せず且つピストン２２の内部の空気の流動を阻止するように、所定の方向Ｘに沿って摺動可能に取付け端部２２１に取り付けられている。
【００２１】
制御手段３の制御スイッチ３１は、制御ピン３２に隣接する押圧端部３１６及び操作端部３１７を有し、所定の方向Ｘと略直交する延伸方向Ｙに沿って延伸し且つ延伸方向Ｙを回転軸として回転可能に設置されている押圧軸３１４と、押圧軸３１４の操作端部３１７から押圧軸３１４と略直交に延伸して押圧軸３１４の回転と共に揺動するハンドル３１５と、を有している。
【００２２】
押圧軸３１の押圧端部の外周面３１１には、図４に示されるように、押圧軸３１４の延伸方向Ｙと略直交する平面における断面において、延伸方向Ｙに沿った上記回転軸までの距離が徐々に減少するように形成されている斜面３１２と、斜面３１２の延伸方向Ｙにおける両端それぞれから、斜面３１２以外の外周面３１１まで延伸する２つの側面３１３と、が形成されており、斜面３１２及び２つの側面３１３により制御ピン３２の突出端３２１を受け入れることができる切替空間３１０を画成すると共に、斜面３１２の上記回転軸までの距離が比較的に短い部分で前記アンロック位置における制御ピン３２に当接し、そして外周面３１１の斜面３１２以外の部分で前記ロック位置における制御ピン３２に当接するように配置構成され、制御ピン３２の前記アンロック位置と前記ロック位置との切替を案内する。即ち、ハンドル３１５を揺動させるように操作して押圧軸３１４を回転させることにより、制御ピン３２を前記アンロック位置と前記ロック位置とに切り替えることができる。
【００２３】
この実施形態において、図４に示されるように斜面３１２は、押圧軸３１４の延伸方向Ｙと略直交する平面における断面において、延伸方向Ｙに沿った上記回転軸までの距離が徐々に減少するように湾曲している曲面に形成されている。
【００２４】
固定手段５は、図１に示されるように、第２の回動軸１２１に回動可能に枢接されている第１の接続部５１と、第２の回動軸１２１と略直交する第１の軸線Ａを軸心として第１の接続部５１に回動可能に枢接され、所定の固定位置に固定できるように構成されている固定部５２と、を有するように構成されている。
【００２５】
ディスプレイ支持手段４は、図１に示されるように、回動可能に第１の回動軸１１１に枢接されている第２の接続部４１と、第１の回動軸１１１と略直交する第２の軸線Ｂを軸心として回動可能に第２の接続部４１に枢接され、ディスプレイが設置できるように構成されているディスプレイ設置部４２と、を有するように構成されている。この実施形態において、ディスプレイ設置部４２は、第２の軸線Ｂを軸心として回動可能に第２の接続部４１に枢接されている枢接部４２１と、第２の軸線Ｂと略直交する第３の軸線Ｃを軸心として枢接部４２１に回動可能に枢接されている設置部４２２と、を備えている。
【００２６】
上記の構成によれば、制御手段３の押圧軸３１の斜面３１２の上記回転軸までの距離が比較的に短い部分が制御ピン３２に当接する場合には、制御ピン３２の突出端３２１が切替空間３１０に受容されて、制御ピン３２が前記アンロック位置にあるので、アーム手段１を図１０に示されるように揺動すると、空気圧伸縮シリンダー２が伸縮しながらアーム手段１と共に揺動することができる。また、制御手段３の押圧軸３１の外周面３１１の斜面３１２以外の部分が制御ピン３２に当接する場合には、制御ピン３２が取付け端部２２１から突出しないようにピストン２２の内部へ押し込まれて、制御ピン３２が前記ロック位置にあるので、空気圧伸縮シリンダー２が伸縮できず、アーム手段１が揺動できなくなり、ディスプレイを希望の位置に精確に固定することができる。
【００２７】
（第２の実施形態）
本発明のディスプレイ支持装置の第２の実施形態は、上記第１の実施形態と類似する構成を有するので、ここでは詳しい説明を省略し、その相違点のみを説明する。
【００２８】
本発明の第２の実施形態において、図１１に示されるように、固定手段５は、回動可能に第２の回動軸１２１に枢接されている第１の接続部５１と、所定の固定位置に固定できるように構成されている固定部５２と、第２の回動軸１２１と略直交する第１の軸線Ａを軸心として回動可能に第１の接続部５１に回動可能に枢接されている第１の延伸アーム端部６１と、第１の軸線Ａと平行する回転軸線Ｄを軸心として回動可能に固定部５２に枢接されている第２の延伸アーム端部６２と、を有するように構成されている延伸アーム６と、を更に有している。
【００２９】
この実施形態の構成によれば、上記第１の実施形態の効果を有する以外、更に、第１の軸線Ａ及び回転軸線Ｄを軸心として回動できるので、ディスプレイをより多様な位置に支持することができる。
【産業上の利用可能性】
【００３０】
本考案のディスプレイ支持装置は、液晶ディスプレイ、プラズマディスプレイ、有機ＥＬディスプレイなどのディスプレイを支持しながら、例えば壁面や天井などに設置することに好適である。
【符号の説明】
【００３１】
１  アーム手段
１０  収容空間
１１  第１の端部
１１１  第１の回動軸
１２  第２の端部
１２１  第２の回動軸
１２２  第３の回動軸
１２３  延伸部
１２４  第４の回動軸
１３  アーム本体
１４１  第１の端部カバー
１４２  第２の端部カバー
１４３  本体カバー
２  空気圧伸縮シリンダー
２１  シリンダー本体
２２  ピストン
２２１  取付け端部
２３  制御ピン
２３１  突出端
２４  連動棒
２５  延伸筒部
２５１  第５の回動軸
３  制御手段
３１  制御スイッチ
３１０  切替空間
３１１  外周面
３１２  斜面
３１３  側面
３１４  押圧軸
３１５  ハンドル
３１６  押圧端部
３１７  操作端部
４  ディスプレイ支持手段
４１  第２の接続部
４２  ディスプレイ設置部
４２１  枢接部
４２２  設置部
５  固定手段
５１  第１の接続部
５２  固定部
６  延伸アーム
６１  第１の延伸アーム端部
６２  第２の延伸アーム端部
Ａ  第１の軸線
Ｂ  第２の軸線
Ｃ  第３の軸線
Ｄ  回転軸線
Ｘ  所定の方向
Ｙ  延伸方向
【図１】
0003204995.tif 000003
【図２】
0003204995.tif 000004
【図３】
0003204995.tif 000005
【図４】
0003204995.tif 000006
【図５】
0003204995.tif 000007
【図６】
0003204995.tif 000008
【図７】
0003204995.tif 000009
【図８】
0003204995.tif 000010
【図９】
0003204995.tif 000011
【図１０】
0003204995.tif 000012
【図１１】
0003204995.tif 000013